(57)【要約】  本発明は、二重スクリュー方式で外軸カム、カートリッジホルダ及び内軸カムが結合されることにより、軸の伸張とペン芯の操出しが同時になされるので、使用が簡便で、軸長の縮小及び伸張により、所持、携帯、管理が便利な操出式伸縮筆記具を提供する。【選択図】図1
2008526571.tif 000002
【特許請求の範囲】
【請求項１】
ペン芯２０を備える操出式伸縮筆記具において、
第１スクリュー溝１１が内周面に形成された外軸カム１０と、
前記第１スクリュー溝１１に対応して螺合される第１スクリュー３１が一側に形成され、第２スクリュー３５が他側に形成されたカートリッジホルダ３０と、
前記カートリッジホルダ３０が軸心に一致し、第２スクリュー３５に対応して螺合されるように、第２スクリュー溝４５が内周面に形成された内軸カム４０と、
前記内軸カム４０の固定部４１が軸心に一致し、ヘッド部５１の定着孔５９に固定され、複数の羽部５４、５６が前記ヘッド部５１の一側から他側まで伸びる外軸部５０とを含み、
前記外軸カム１０と前記外軸部５０の往復直線移動による軸長の伸張又は縮小によって、前記カートリッジホルダ３０に結合されたペン芯２０のチップ２８が前記外軸カム１０のチップ孔１８を通じて出没するように結合されていることを特徴とする、操出式伸縮筆記具。
【請求項２】
前記外軸カム１０は、前記羽部５４、５６との噛み合いのため、第１両側表面が相対的に突出し、第２両側表面１４、１６が円形内径に対応する円周面に膨出し、前記第２両側表面１４、１６に前記外軸部５０の羽部５４、５６がスライド可能に噛み合うことを特徴とする、請求項１に記載の操出式伸縮筆記具。
【請求項３】
前記外軸カム１０と外軸部５０が噛み合った状態のレイアウトは流線型本体の形状で、両端側に行くほど漸次直径が減少するエッジ部及び膨出表面を有する四角形、円形、長方形、三角形及び六角形から選択されたいずれか一つの中空断面形状を有することを特徴とする、請求項１に記載の操出式伸縮筆記具。
【請求項４】
前記外軸カム１０の外部には、前記外軸部５０の羽部５４、５６の内面に形成されたガイドスリット５２にスライド可能に結合される少なくとも一つの係止突起１２が形成されていることを特徴とする、請求項１に記載の操出式伸縮筆記具。
【請求項５】
前記ガイドスリット５２には、前記外軸カム１０と前記外軸部５０が第２ストローク距離（ｂ）だけ軸長で伸張又は縮小したときに着脱される前記係止突起１２を停止させる役割をするように、下死点停止段５５と上死点停止段５７が形成されていることを特徴とする、請求項４に記載の操出式伸縮筆記具。
【請求項６】
前記外軸カム１０と前記外軸部５０の噛合状態で、前記第１スクリュー３１が前記第１スクリュー溝１１に、かつ前記第２スクリュー３５が前記第２スクリュー４５に、それぞれ二重にネジ対応関係で結合され、前記内軸カム４０と前記外軸部５０の伸縮に対応して、前記ペン芯２０のチップ２８をチップ孔１８から出没させる二重スクリュー方式の伸縮／出没メカニズムをさらに含むことを特徴とする、請求項１に記載の操出式伸縮筆記具。
【請求項７】
前記カートリッジホルダ３０は、同一回転数で短いストローク距離（ａ）だけ移送されるように、前記第１スクリュー３１のネジピッチが相対的に小さく形成され、前記外軸カム１０と外軸部５０の伸縮に対応する長いストローク距離（ｂ）のために、第２スクリュー３５のネジピッチが相対的に大きく形成されることを特徴とする、請求項１に記載の操出式伸縮筆記具。
【請求項８】
前記内軸カム４０と外軸部５０は、固定部４１とヘッド部５１の合体有無によって分離型又は一体型に形成されることを特徴とする、請求項１に記載の操出式伸縮筆記具。
【請求項９】
前記固定部４１には、前記ヘッド部５１の定着孔５９の複数の固定溝５３に固定されるように、複数のねじり防止段４３が形成されていることを特徴とする、請求項８に記載の操出式伸縮筆記具。
【請求項１０】
前記外軸部５０は、ヘッド部５１に、連結手段１が装着される装着具２を含むことを特徴とする、請求項１に記載の操出式伸縮筆記具。
【発明の詳細な説明】
【技術分野】
【０００１】
本発明は操出式伸縮筆記具に係り、より詳しくは筆記用、アクセサリ用、簡便携帯用操出式伸縮筆記具に関するものである。
【背景技術】
【０００２】
一般に、ペン芯（筆芯）出没（出入）式筆記具は、多様な色相のボールペン、シャープペンシル、複合ペンなどに適用されるもので、筆記に際して、ケースの内部に内在しているペン芯を突出させ、筆記しないときは、ペン芯を没入させる所定形式の出没器具手段を備えている。
【０００３】
仮に、出没器具手段を備えていない場合、筆記具の軸長を最小にして小型の大きさを有するため、筆記具固有の機能とともに、ファンシー用品、キャラクタ用品、アクセサリなどの役割が可能である。しかし、ペン芯の出没器具手段が備えられていない場合、安全事故防止、ペン芯保護及びインクなどによって衣類にムラが生じることを防止するために、筆記具蓋のような別の手段が必要であり、筆記具を使用する都度、不便さ発生し、筆記具蓋の紛失によって筆記具の寿命が短縮する傾向がある。
【０００４】
反対の場合として、出没器具手段を筆記具の本体に備える場合、ペン芯の長さに出没器具手段の長さが合わせられ、全体として筆記具の軸長が、出没器具手段を備えていない場合に比べ、増加するため、ファンシー用品、キャラクタ用品などへの適用ができなく、相対的に保管、所持、携帯が不便な欠点がある。
【０００５】
このような点に鑑みた従来技術による伸縮筆記具の先端チップ出入装置は、１９８８年大韓民国実用新案登録第００３８４８１号に開示されたように、本体とキャップ体を互いに結合して伸縮自在にするものにおいて、本体の上端にインクチューブを挿入する保護管と一体になった部材を固定し、その部材の一側には垂直孔を開け、所定長さのピンの上部を差し込み、適当な部位に突起を形成するとともにその突起を十分な長さに伸ばし、これを前記垂直孔に挿入した後、その端部を拡大させ、前記保護管の下端部にはフランジが形成された透管を結合するとともに、その透管の外部に通常のコイルスプリングと円錐状キャップの本体下部のネジにねじ込んで、コイルスプリングの弾発力によって回されるフランジが前記ピンの下端が接触するようにし、前記キャップ体においては、その上端に頭部材を固定して、その底面が前記ピンの上端に接触するようにした構成を有する。
【０００６】
しかし、従来技術による伸縮筆記具の先端チップ出入装置は、１）本体、２）キャップ体、３）インクチューブ、４）保護管、５）部材、６）ピン、７）透管、８）コイルスプリング、９）円錐状キャップ、１０）頭部材などのように結合作動に必ず必要な多数の必須構成要素からなるので、生産性及び組立性に劣る欠点がある。
【０００７】
また、従来技術による伸縮筆記具の先端チップ出入装置は、伸縮後の段階で、頭部材の底面がピンの上端に接触することにより先端チップが突出し、通常のコイルスプリングの弾性反発力によって没入されるメカニズムを有するため、伸縮と同時にペン芯が出没しなくて、迅速に先端チップを突出させることができない欠点がある。
【０００８】
また、従来技術による伸縮筆記具の先端チップ出入装置は、相対的に直径の大きなキャップ体の内部に相対的に直径の小さな胴体が出入することにより、美的形式原理に当たるバランスやハーモニーが落ちて審美的価値が大変落ちる欠点がある。
【０００９】
このような従来技術による伸縮筆記具の先端チップ出入装置は、本体のキャップを引っ張る作動と、先端チップを出入させる作動が別になっているため、使用が不便な欠点がある。
【発明の開示】
【発明が解決しようとする課題】
【００１０】
本発明の目的は、先に出願した側面ノック型操出式伸縮筆記具の問題点を解決するとともに、より安定的に、外軸カムと外軸部の伸縮と同時にペン芯が出没するので、使用が便利な操出式伸縮筆記具を提供することにある。
【００１１】
また、本発明の他の目的は、二重スクリュー方式で外軸カム、カートリッジホルダー及び内軸カムが結合されることで、軸の伸張とペン芯の操出が同時になされるので、使用が簡便で、軸長の縮小及び伸張により、所持、携帯、管理が便利な操出式伸縮筆記具を提供することにある。
【００１２】
また、本発明のさらに他の目的は、片数を最小化して組立性と製作効率を極大化して産業的利用可能性を増大させ、伸縮と同時に出没するペン芯を物理的な外力から保護し、筆記具の寿命をペン芯インクの消尽まで安全に保全することができる操出式伸縮筆記具を提供することにある。
また、本発明のさらに他の目的は、携帯電話のストラップが装着される装着具を備えている流線型本体を有するもので、把持感がよいだけでなく、需要者の美的関心を引いて需要増大に現実的に寄与することができ、ファンシー、キャラクタ、アクセサリの用途と筆記の用度を同時に果たし得る操出式伸縮筆記具を定供することにある。
【課題を解決するための手段】
【００１３】
前述したような本発明の目的は、ペン芯を備える操出式伸縮筆記具において、第１スクリュー溝１１が内周面に形成された外軸カムと；前記第１スクリュー溝に対応して螺合される第１スクリューが一側に形成され、第２スクリューが他側に形成されたカートリッジホルダと；前記カートリッジホルダが軸心に一致し、第２スクリューに対応して螺合されるように、第２スクリュー溝が内周面に形成された内軸カムと；前記内軸カムの固定部が軸心に一致し、ヘッド部の定着孔に固定され、複数の羽部が前記ヘッド部の一側から他側まで伸びる外軸部と；を含み、前記外軸カムと前記外軸部の往復直線移動による軸長の伸張又は縮小によって、前記カートリッジホルダに結合されたペン芯のチップが前記外軸カムのチップ孔を通じて出没するように結合されていることを特徴とする、操出式伸縮筆記具によって達成される。
【００１４】
また、本発明によれば、前記外軸カムは、前記羽部との噛み合いのため、第１両側表面が相対的に突出し、第２両側表面が円形内径に対応する円周面に膨出し、前記第２両側表面に前記外軸部の羽部がスライド可能に噛み合うことが好ましい。
【００１５】
また、本発明によれば、前記外軸カムと外軸部が噛み合った状態のレイアウトは流線型本体の形状で、両端側に行くほど漸次直径が減少するエッジ部及び膨出表面を有する四角形、円形、長方形、三角形及び六角形から選択されたいずれか一つの中空断面形状を有することが好ましい。
【００１６】
また、本発明によれば、前記外軸カムの外部には、前記外軸部の羽部の内面に形成されたガイドスリットにスライド可能に結合される少なくとも一つの係止突起が形成されていることが好ましい。
前記ガイドスリットには、前記外軸カムと前記外軸部が第２ストローク距離だけ軸長で伸張又は縮小したときに着脱される前記係止突起を停止させる役割をするように、下死点停止段と上死点停止段が形成されていることが好ましい。
【００１７】
また、本発明によれば、前記外軸カムと前記外軸部の噛合状態で、前記第１スクリューが前記第１スクリュー溝に、かつ前記第２スクリューが前記第２スクリューに、それぞれ二重にネジ対応関係で結合され、前記内軸カムと前記外軸部の伸縮に対応して、前記ペン芯のチップをチップ孔から出没させる二重スクリュー方式の伸縮／出没メカニズムをさらに含むことが好ましい。
【００１８】
また、本発明によれば、前記カートリッジホルダは、同一回転数で短いストローク距離だけ移送されるように、前記第１スクリューのネジピッチが相対的に小さく形成され、前記外軸カムと外軸部の伸縮に対応する長いストローク距離のために、第２スクリューのネジピッチが相対的に大きく形成されることが好ましい。
【００１９】
また、本発明によれば、前記内軸カムと外軸部は、固定部とヘッド部の合体有無によって分離型又は一体型に形成されることが好ましい。
【００２０】
また、本発明によれば、前記固定部には、前記ヘッド部の定着孔の複数の固定溝に固定されるように、複数のねじり防止段が形成されていることが好ましい。
【００２１】
また、本発明によれば、前記外軸部は、ヘッド部に、連結手段が装着される装着具を含むことが好ましい。
【発明の効果】
【００２２】
以上説明したように構成される本発明は、操出式伸縮筆記具は、軸長の伸縮と同時にペン芯の出没をもたらす二重スクリュー方式の伸縮／出没メカニズムによって、コンパクトなサイズ及び流線型デザインを持っているので、需要者の美的関心を引いて需要増大に現実的に寄与することができ、ファンシー、キャラクタ、アクセサリの用途と筆記の用途を同時に果たすことができる効果がある。
また、本発明の操出式伸縮筆記具は、外軸カム、ペン芯、カートリッジホルダ、内軸カム、及び外軸部からなっているので、生産性及び組立性に優れ、細かい故障がない利点がある。
また、本発明の操出式伸縮筆記具は、羽部を陥没した表面の内側に噛み合わせることにより、相互間の均衡感がある製品として量産可能な利点がある。
また、本発明の操出式伸縮筆記具は、携帯電話のストラップ、連結具などのような連結手段を装着し得るようにする装着具が設けられた流線型本体を有するもので、両端側に行くほど漸次直径が減る比率に対応して中間部位が緩やかに円周全体にわたって膨出した形状を持っているので、把持感に優れ、所持、保管及び管理が容易な利点がある。
【発明を実施するための最良の形態】
【００２３】
以下、本発明の好適な実施例を添付図面に基づいて詳細に説明する。
図面において、図１は本発明の一実施例による操出式伸縮筆記具の外観を示す斜視図、図２は図１に示す操出式伸縮筆記具が伸張した状態の外観を示す斜視図、図３は図１に示す操出式伸縮筆記具の分解斜視図、図４は図３に示す外軸カムの断面図、図５は図３に示すカートリッジホルダの断面図、図６は図３に示す内軸カムの断面図、図７は図３に示す外軸部の断面図、図８及び図９は図１に示す操出式伸縮筆記具の作動関係を説明する断面図である。
【００２４】
まず、図１に示すように、本発明の操出式伸縮筆記具は、携帯電話のストラップ、連結具などのような連結手段１を装着される装着具２が外軸部５０の頭部位に形成された流線型本体を備えている。
例えば、本発明の操出式伸縮筆記具は、中間部から両端側に行くほど漸次直径が減少する比率に対応し、中間部が緩やかに円周全体にわたって膨出した形状を有する。
【００２５】
ここで、膨出した形状は、本発明を指で軸方向に伸張させるために引っ張るか、あるいは軸方向に縮小させるために、反対方向に押すとき、摩擦力を増大させるので、別の支持突起なしに、伸縮に必要な指力を本発明の操出式伸縮筆記具に伝達することが容易であり、全体デザインをシンプルにすることができる利点がある。
【００２６】
このような本発明の操出式伸縮筆記具は、ほぼ丸い四角形を有するので、需要者の美的関心を引いて、需要増大に現実的に寄与することができるハイテクなデザインを持っており、縮小した基本状態で、コンパクトでシンプルな美観を有する。
【００２７】
また、本発明操出式伸縮筆記具の組立に使用される片数は、インクを内包しているペン芯を含めても四つないし五つからなっている。ここで、片数が四つないし五つと可変的な理由は、必要に応じて、外軸部５０と内軸カムが一体型に形成されるか、あるいは分離型に形成されることができるからである。外軸部５０と内軸カムが一体型に形成されれば、制作費の上昇が予想され、射出金型による大量生産に多少の差し支えが生じるおそれがあるが、これから射出技術の発達によりこのようなおそれは無くなるであろう。
結果として、本発明は、相対的に少ない片数を有するにもかかわらず、伸縮とペン芯の出没が同時に起こるように、二重スクリュー方式の伸縮／出没メカニズムを有する。
【００２８】
すなわち、本発明の操出式伸縮筆記具は、機能的な面で、円錐形中空軸状の外軸カム１０と外軸部５０を軸の両端側に引いて伸張させるとき、外軸カム１０と外軸部５０の内部に配置された二重スクリュー方式の伸縮／出没メカニズムによってペン芯２０のチップ２８が突出し、反対方向への力を外軸カムと外軸部５０に加える場合、軸長が縮小するとともにチップ２８が外軸カム１０の内部に没入するようになっている。
【００２９】
ここで、二重スクリュー方式の伸縮／出没メカニズムが外軸カム１０と外軸部５０の内部に位置することにより、全体として筆記具の厚さ増大を防ぐために、本発明において、外軸カム１０の外形的形状と、これに対応する外軸部５０の外形的形状に特徴が生じる。
【００３０】
すなわち、外軸カム１０の外形を見ると、両端側に行くほど漸次直径が減少するエッジ部及び膨出表面の四角形中空断面を有する。この際、両側表面が相対的に突出しており、第２両側表面が相対的に陥没している。ここで、陥没した第２両側表面は円形の内径に対応する円周面を有し、外軸部５０の羽部のそれぞれと噛み合って軸方向にだけスライドするようにガイド溝の役割をする。
【００３１】
一方、外軸部５０の外形を見ると、装着具２が形成されたヘッド部を除き、第１両側部が前記外軸カム１０のレイアウトに対し、バランス、均衡状態及び対称状態のいずれか一つを有するように厚さ方向に開放されており、一対の羽部がヘッド部から前記外軸カム１０側に、前記外軸カム１０の陥没した第２両側表面の深さに対応するように伸び、スライド結合方式で噛み合う幅及び厚さを有するように形成されている。
【００３２】
すなわち、外軸部５０の羽部は、外軸カム１０の陥没した第２両側表面と噛み合うように形成され、外軸カム１０の突出した第１両側表面が外軸部５０の開放した第１両側部に噛み合うように形成されている。
【００３３】
外軸カム１０と外軸部５０が噛み合った状態のレイアウトを見ると、図１又は図２に示すように、両端側に行くほど漸次直径が減少するエッジ部と膨出表面を有する四角形だけでなく、円形、長方形、三角形及び六角形から選択したいずれか一つの中空断面形状を有することが好ましい。
【００３４】
以下、図３に示す分解斜視図に基づき、本発明による操出式伸縮筆記具の結合関係について詳細に説明する。
本発明は、外軸カム１０、ペン芯２０、カートリッジホルダ３０、内軸カム４０及び外軸部５０からなっている。
外軸カム１０は、陥没した第２両側表面１４、１６の内側に軸方向に中空が形成され、ペン芯２０、カートリッジホルダ３０及び内軸カム４０が挿入できるようになっている。
【００３５】
図４に示すように、外軸カム１０は中空１９を有する軸状のもので、ペン芯２０のチップ２８が出没するようにチップ孔１８が形成された中空円錐状部と、陥没した第２両側表面１４、１６と、この第２両側表面１４、１６に対して直角に配置され、相対的に突出した第１両側表面とを有する。
【００３６】
外軸カム１０において、チップ孔１８に近接した内周面には第１スクリュー溝１１が形成されている。ここで、第１スクリュー溝１１はスライド動作ができるように、螺旋状突出部、若しくは複数の同じ螺旋列突出部に相当する第１スクリュー３１と螺合され、螺旋運動の際に、ペン芯２０のチップ２８が外軸カム１０のチップ孔の内側から外側に適正量突出することになる第１ストローク距離（ａ）だけカートリッジホルダ３０を移送するように設計されている。特に、複数の螺旋列突出部の第１スクリュー３１は、螺旋状突出部に比べ、相対的に増加した接触面積を第１スクリュー溝１１に提供することで安定した螺旋運動を提供することができる。
【００３７】
第１スクリュー３１と第２スクリュー３５は、シリコンなどの潤滑剤が塗布されているので、円滑な螺旋運動が可能であり、その材質は摩耗、破損の少ないエンジニアリングプラスチックから製作されることが好ましい。
また、陥没した第２両側表面１４、１６において、ペン芯２０が挿入される側の部位には係止突起１２がそれぞれ形成され、伸張作動の際、ガイドの役割と伸張後のストッパーの役割を果たす。
ペン芯２０は、通常インクを収容しているポール２２と、ポール２２の一端に設けられ、筆記の際、インクを均一に外部に排出させるチップ２８とを有する。
【００３８】
図３及び図５に示すように、カートリッジホルダ３０は、その開口した内径３９にペン芯２０が挿入されるようになっており、カートリッジホルダ３０のペン芯固定部３６の内部固定位置３８にペン芯が締まりばめ方式で固定及び装着される。
【００３９】
カートリッジホルダ３０は、ペン芯２０を内径の軸心と一致させた状態で挿入及び固定する役割をするもので、二重スクリュー方式の伸縮／出没メカニズムのために、開放端の外周面に第１スクリュー３１が形成され、この第１スクリュー３１の端部からペン芯固定部３６の始点までの円周面に第２スクリュー３５が形成されている。
【００４０】
ペン芯固定部３６は中空円筒状のもので、通気孔３７を除く端部面を閉鎖しており、ペン芯２０を固定させるための大きさの固定位置３８が形成されている。このペン芯固定部３６は、内軸カム４０の固定部４１の内側から軸方向に形成された回転孔４６に回転可能に結合される。
カートリッジホルダ３０は、その回転によって、第１スクリュー３１と第２スクリュー３５を一種の螺旋運動方式で回転させる。
【００４１】
ここで、第１スクリュー３１は、第１スクリュー溝３１に対応して、相対的に狭い間隔のネジピッチを有し、第２スクリュー３５は、第２スクリュー溝４５に対応して、相対的に広いネジピッチを有する。
このような第１スクリュー３１は、前記外軸カムの内周面に形成された第１スクリュー溝１１に対し、螺旋運動をなすネジ対応関係にあり、第２スクリュー３５は内軸カム４０の内周面４９に形成された第２スクリュー４５に対してネジ対応関係にある。
【００４２】
また、第１スクリュー３１と第２スクリュー３５の螺旋始点位置は円周方向に互いに一致しないように配置され、螺旋運動の始点が互いに異なるように設計されなければならない。このように、互いに異なるように設計された場合、カートリッジホルダ３０が外軸カム１０から離脱することを防ぐことができる。
【００４３】
図３及び図６に示すように、内軸カム４０は、ペン芯２０を内部に固定したカートリッジホルダ３０が螺合されるように形成されたもので、外軸カム１０と外軸部５０の相互間の伸縮による直線運動を回転運動に変換させる役割を担当する。
このような内軸カム４０の軸部４２は中空軸の形状を有し、軸部４２の内周面に第２スクリュー溝４５が形成されている。ここで、第２スクリュー溝４５は第２スクリュー３５と螺合され、螺旋運動の際、第２ストローク距離（ｂ）に相応して、本発明の操出式伸縮筆記具の軸長を伸縮させるように設計されている。
【００４４】
軸部４２の一端は、内軸カム４０の螺合のために、開放されており、他端は固定部４１と共に一体的に形成されている。
内軸カム４０の固定部４１の外部には、滑らかな円周面で軸方向に伸び、直径方向突出した複数のねじり防止突条４３が形成されている。
【００４５】
また、内軸カム４０の固定部４１の内部には、カートリッジホルダ３０のペン芯固定部３６のための回転孔４６が形成されていることが望ましい。
また、内軸カム４０の端部は円錐状に形成されているので、外軸部５０のヘッド部５１の内側で軸心に沿って形成された定着孔５９に挿着されるようになっている。
【００４６】
図３及び図７に示すように、外軸部５０のヘッド部５１の内側には、内軸カム４０を固定させるための定着孔５９が形成されている。定着孔５９には、前記内軸カム４０の複数のねじり防止突条４３と噛み合う複数の固定溝５３が形成されている。
外軸部５０は、ヘッド部５１から外軸カム１０側に、一対の同一形状の流線型羽部５４、５６が形成されている。
羽部５４、５６の対向内側面間の空間は、内軸カム４０が軸方向に挿入されるとき、羽部５４、５６の内面と内軸カム４０の軸部４２の外周面との間に空隙が形成される大きさに形成されなければならない。
【００４７】
ここで、前記空隙は、前記外軸カム１０と外軸部５０が噛み合うとき、外軸カム１０の陥没した第２両側表面１４、１６に対応する部位の厚さに所定公差を合わせた値に決められる。
結局、外軸カム１０の陥没した第２両側表面１４、１６部位が前記空隙を通じて挿入されるとき、外軸部５０の羽部５４、５６が外軸カム１０の陥没した第２両側表面１４、１６を取り囲む位置に配置され、外軸部５０に結合されたカートリッジホルダ３０が外軸カム１０の中空に挿入されて噛み合うことになる。
【００４８】
また、羽部５４、５６の内面には、前記外軸カム１０の係止突起１２と一致する部位に軸方向に所定の第２ストローク距離だけ伸びたガイドスリット５２がそれぞれ形成されている。ガイドスリット５２の両側には、前記係止突起１２のスライドの後に脱着して停止力を発生させる停止段５５、５７がそれぞれ形成されている。
【００４９】
ここで、停止段５５、５７は、上死点停止段５７と下死点停止段５５とからなる。下死点停止段５５は、第２ストローク距離だけ軸長が縮小したときに係止突起１２と合う地点に位置し、上死点停止段５７は、外軸カム１０と外軸部５０が第２ストローク距離だけ伸張したときに係止突起１２と合う地点に位置することが望ましい。
【００５０】
図３に基づいて結合関係をまとめると、組立作業者は、チップ２８が外側に位置するように、ペン芯２０をカートリッジホルダ３０に挿入した後、ペン芯２０の挿入された端部をカートリッジホルダ３０のペン芯固定部３６の内部に固定させる。
その後、組立作業者は、カートリッジホルダ３０を外軸カム１０の中空１９を通じて挿入した後、第１スクリュー３１が第１スクリュー溝１１のネジ端に停止するまで回転させることで結合する。
【００５１】
一方、組立作業者は、内軸カム４０の固定部の表面に接着剤を塗布した後、これを外軸部５０のヘッド部５１の内側に位置する定着孔５９に挿着する。
このような状態で、組立作業者は、外軸部５０の羽部５４、５６を外軸カム１０の陥没した第２両側表面１４、１６に噛み合わせて軸方向に挿入させる。
この場合、
【００５２】
（１）陥没した第２両側表面１４、１６の係止突起１２は、羽部５４、５６の内面にそれぞれ形成されたガイドスリット５２に挿入されるとともに上死点停止段５７で弾発力によって停止され、
【００５３】
（２）内軸カム４０の軸部４２は外軸カム１０の中空１９に挿入され、
【００５４】
（３）カートリッジホルダ３０の第２スクリュー３５は内軸カム４０の第２スクリュー溝４５に螺合される。
【００５５】
このように結合された本発明の操出式伸縮筆記具は図９のような伸張した状態となる。
【００５６】
使用者は、外軸カム１０と外軸部５０を両手の指でそれぞれつまみ、軸長を縮小させる方向に押し付けるか、あるいは外軸部５０を床面に置き、片手の指で外軸カム１０をつまんだ状態で床面側に押し付けて縮小動作を行うことができる。
この場合、外軸カム１０の陥没した第２両側表面１４、１６が外軸部５０の羽部５４、５６をガイドするとともに、前記押し付けによる力によって係止突起１２が上死点停止段５７を越えてガイドスリット５２に沿って直線移動して軸長縮小運動を行う。
【００５７】
このような軸長縮小運動は、第２スクリュー３５と第２スクリュー４５の螺合関係によってカートリッジホルダ４０を回転させることになる。
このカートリッジホルダ４０の回転は、第１スクリュー３１が外軸カム１０の第１スクリュー溝１１に沿って螺旋運動するようにし、結果として第１ストローク距離だけ移送することにより、ペン芯２０のチップ２８を外軸カム１０の内部に没入させて、図８のような状態となる。
【００５８】
逆に、使用者が、外軸カム１０と外軸部５０を両手の指でそれぞれつまみ、軸長を伸張させるように引く場合、軸長の伸張がなされる。
このような軸長の伸張移動は、第２スクリュー３５と第２スクリュー溝４５の螺合関係によって、カートリッジホルダ４０を反対方向に回転させる。
【００５９】
このようなカートリッジホルダ４０の反対方向への回転は、第１スクリュー３１が外軸カム１０の第１スクリュー溝１１に沿って反対方向に螺旋運動するようにし、結果として、第１ストローク距離だけ反対方向に移送することにより、ペン芯２０のチップ２８を外軸カム１０の外部に突出させて、再び図９のような状態となる。
【００６０】
以上、本発明の操出式伸縮筆記具についての技術思想を添付図面に基づいて説明したが、これは本発明の最良の実施例を例示して説明したもので、本発明を限定するものではない。また、この技術分野で通常の知識を持った者であれば、誰でも本発明の技術思想の範疇を逸脱しない範囲内で多様な変形及び模倣が可能であろう。
【図面の簡単な説明】
【００６１】
【図１】図１は本発明の一実施例による操出式伸縮筆記具の外観を示す斜視図である。
【図２】図２は図１に示す操出式伸縮筆記具が伸張した状態の外観を示す斜視図である。
【図３】図３は図１に示す操出式伸縮筆記具の分解斜視図である。
【図４】図４は図３に示す外軸カムの断面図である。
【図５】図５は図３に示すカートリッジホルダの断面図である。
【図６】図６は図３に示す内軸カムの断面図である。
【図７】図７は図３に示す外軸部の断面図である。
【図８】図８は図１に示す操出式伸縮筆記具の作動関係を説明する断面図である。
【図９】図９は図１に示す操出式伸縮筆記具の作動関係を説明する断面図である。
【図１】
2008526571.tif 000003
【図２】
2008526571.tif 000004
【図３】
2008526571.tif 000005
【図４】
2008526571.tif 000006
【図５】
2008526571.tif 000007
【図６】
2008526571.tif 000008
【図７】
2008526571.tif 000009
【図８】
2008526571.tif 000010
【図９】
2008526571.tif 000011
【国際調査報告】
2008526571.tif 000012
2008526571.tif 000013